(57)【要約】【課題】配索後の電線に取り付けられ、前記電線の線径の大小に対応し、前記電線に安定して取り付けられるワイヤハーネス用固定具、および、該ワイヤハーネス用固定具を備えたワイヤハーネス、および、該ワイヤハーネスの配索方法を提供する。【解決手段】ワイヤハーネス用固定具２は、当該ワイヤハーネス用固定具２を電線９に取り付ける目印とされ且つ当該電線９の外周面に沿って巻かれた目印部材６１を抱持する抱持部７が設けられている。【選択図】図４
2012222901.tif 000002
【特許請求の範囲】
【請求項１】
電線をパネルに固定するワイヤハーネス用固定具において、
前記ワイヤハーネス用固定具には、当該ワイヤハーネス用固定具を前記電線に取り付ける目印とされ且つ当該電線の外周面に沿って巻かれた目印部材を抱持する抱持部が設けられていることを特徴とするワイヤハーネス用固定具。
【請求項２】
前記抱持部は、前記電線を収容する第一収容部と、前記電線を収容すると共に前記第一収容部に対向する第二収容部と、を備え、かつ、
前記第一収容部と前記第二収容部とに連設され且つ当該第一収容部と当該第二収容部とを回動可能に連結した可撓部が設けられていることを特徴とする請求項１に記載のワイヤハーネス用固定具。
【請求項３】
前記抱持部は、前記電線を収容する第一収容部と、前記電線を収容すると共に前記第一収容部に対向する第二収容部と、を備え、
前記第一収容部と前記第二収容部とには、互いに係合する係合手段が設けられ、かつ、
前記第一収容部と前記第二収容部とが、別体で構成されていることを特徴とする請求項１に記載のワイヤハーネス用固定具。
【請求項４】
前記目印部材が、前記電線の外周面に沿って巻かれ且つ帯状に形成された帯状部と、前記帯状部の一端に設けられ且つ当該帯状部を挿通して係合する係合部と、を備え、
前記ワイヤハーネス用固定具の前記抱持部には、前記目印部材の前記係合部を露出する開口部が設けられていることを特徴とする請求項１〜請求項３のいずれか一項に記載のワイヤハーネス用固定具。
【請求項５】
パネルに配索される電線と、前記電線を前記パネルに固定するワイヤハーネス用固定具と、を備えたワイヤハーネスにおいて、
前記ワイヤハーネス用固定具が、請求項１〜請求項４のいずれか一項に記載のワイヤハーネス用固定具とされていることを特徴とするワイヤハーネス。
【請求項６】
請求項５に記載のワイヤハーネスを前記パネルに配索する配線方法であって、
前記目印部材が外周面に沿って巻かれた前記電線を前記パネルに配索し、前記目印部材を前記ワイヤハーネス用固定具の抱持部で抱持し、前記ワイヤハーネス用固定具を前記パネルに固定することを特徴とするワイヤハーネスの配索方法。
【発明の詳細な説明】
【技術分野】
【０００１】
本発明は、配索後の電線に取り付けられ、前記電線の線径の大小に対応し、前記電線に安定して取り付けられるワイヤハーネス用固定具、および、該ワイヤハーネス用固定具を備えたワイヤハーネス、および、該ワイヤハーネスの配索方法に関する。
【背景技術】
【０００２】
自動車等には、種々の電子機器と電装品とが搭載されている。これらの電子機器と電装品とにバッテリなどの電源等からの電力や制御装置等からの制御信号などを伝達する手段として、ワイヤハーネスが用いられている。
【０００３】
ワイヤハーネスは、自動車等の車体を構成するパネル上に配索されている。ワイヤハーネスには、前記パネルに開孔された取付孔に係止され前記ワイヤハーネスを当該パネルに固定する固定具が設けられている（例えば、特許文献１および特許文献２参照。）。
【０００４】
特許文献１に記載のワイヤハーネスは、当該ワイヤハーネスを構成する電線に前記固定具の取付位置を表示する目印テープが設けられ、前記目印テープ上に前記固定具の結束バンドが結束工具によって緊縛されている。
【０００５】
特許文献２に記載のワイヤハーネスは、当該ワイヤハーネスを構成する電線に、当該電線の軸方向に摺動可能に形成され前記固定具に嵌合される嵌合部材が設けられている。
【先行技術文献】
【特許文献】
【０００６】
【特許文献１】特開２００９−３０１９４４号公報
【特許文献２】特開２００８−２３０４８１号公報
【発明の概要】
【発明が解決しようとする課題】
【０００７】
しかしながら、特許文献１に記載のワイヤハーネスは、前記ワイヤハーネスが狭い箇所で配索された場合、結束口部によって固定具の帯状部を結束することが困難となるため、ワイヤハーネスの製造工程で前記固定具が取り付けられている。このため、ワイヤハーネスを配索した時に、前記固定具がパネル等に引っかかってしまい、円滑にワイヤハーネスの配索作業が行えないという問題があった。
【０００８】
また、特許文献１に記載のワイヤハーネスは、前述のように、ワイヤハーネスの製造工程で固定具が取り付けられているため、ワイヤハーネスの製造工程とは異なる工程や別の場所等で、ワイヤハーネスに固定具を取り付けることができないという問題があった。
【０００９】
特許文献２に記載のワイヤハーネスは、電線に設けられるスペーサと当該スペーサに嵌合される固定具とが一対として形成されているため、互いに専用品となっており、汎用性がないという問題があった。
【００１０】
また、特許文献２に記載のワイヤハーネスは、線径が大径の電線にスペーサを取り付けられないという問題があった。このため、電線の線径に応じて各種寸法のスペーサと固定具とを製造した場合、コストがかかるという問題があった。
【００１１】
また、特許文献２に記載のワイヤハーネスは、電線に対してスペーサが移動可能に形成されているため、スペーサを安定して位置決め状態に保持することができないという問題があった。
【００１２】
本発明は、かかる問題を解決することを目的としている。即ち、本発明は、配索後の電線に取り付けられ、前記電線の線径の大小に対応し、前記電線に安定して取り付けられるワイヤハーネス用固定具、および、該ワイヤハーネス用固定具を備えたワイヤハーネス、および、該ワイヤハーネスの配索方法を提供することを目的としている。
【課題を解決するための手段】
【００１３】
前記課題を解決し目的を達成するために、請求項１に記載された発明は、電線をパネルに固定するワイヤハーネス用固定具において、前記ワイヤハーネス用固定具には、当該ワイヤハーネス用固定具を前記電線に取り付ける目印とされ且つ当該電線の外周面に沿って巻かれた目印部材を抱持する抱持部が設けられていることを特徴とするワイヤハーネス用固定具である。
【００１４】
請求項２に記載された発明は、前記抱持部は、前記電線を収容する第一収容部と、前記電線を収容すると共に前記第一収容部に対向する第二収容部と、を備え、かつ、前記第一収容部と前記第二収容部とに連設され且つ当該第一収容部と当該第二収容部とを回動可能に連結した可撓部が設けられていることを特徴とする請求項１に記載のワイヤハーネス用固定具である。
【００１５】
請求項３に記載された発明は、前記抱持部は、前記電線を収容する第一収容部と、前記電線を収容すると共に前記第一収容部に対向する第二収容部と、を備え、前記第一収容部と前記第二収容部とには、互いに係合する係合手段が設けられ、かつ、前記第一収容部と前記第二収容部とが、別体で構成されていることを特徴とする請求項１に記載のワイヤハーネス用固定具である。
【００１６】
請求項４に記載された発明は、前記目印部材が、前記電線の外周面に沿って巻かれ且つ帯状に形成された帯状部と、前記帯状部の一端に設けられ且つ当該帯状部を挿通して係合する係合部と、を備え、前記ワイヤハーネス用固定具の前記抱持部には、前記目印部材の前記係合部を露出する開口部が設けられていることを特徴とする請求項１〜請求項３のいずれか一項に記載のワイヤハーネス用固定具である。
【００１７】
請求項５に記載された発明は、パネルに配索される電線と、前記電線を前記パネルに固定するワイヤハーネス用固定具と、を備えたワイヤハーネスにおいて、前記ワイヤハーネス用固定具が、請求項１〜請求項４のいずれか一項に記載のワイヤハーネス用固定具とされていることを特徴とするワイヤハーネスである。
【００１８】
請求項６に記載された発明は、請求項５に記載のワイヤハーネスを前記パネルに配索する配線方法であって、前記目印部材が外周面に沿って巻かれた前記電線を前記パネルに配索し、前記目印部材を前記ワイヤハーネス用固定具の抱持部で抱持し、前記ワイヤハーネス用固定具を前記パネルに固定することを特徴とするワイヤハーネスの配索方法である。
【発明の効果】
【００１９】
請求項１に記載された発明によれば、ワイヤハーネス用固定具は、電線の外周面に沿って巻かれた目印部材を抱持部で抱持するため、前記ワイヤハーネス用固定具の取付位置の位置精度が向上する。
【００２０】
また、ワイヤハーネス用固定具は、電線の外周面に沿って巻かれた目印部材を抱持部で抱持するため、結束工具などの工具を使用せずに電線に取り付けることができる。このため、ワイヤハーネス用固定具が引掛かるような狭い箇所に電線を配索した後に、前記ワイヤハーネス用固定具を電線に取り付けて当該電線をパネルに固定することができる。
【００２１】
また、ワイヤハーネス用固定具は、電線の外周面に沿って巻かれた目印部材を抱持するため、線径の異なる電線に取り付けることができる。このため、汎用性が向上する。
【００２２】
また、ワイヤハーネス用固定具は、電線の外周面に沿って巻かれた目印部材を前記ワイヤハーネス用固定具の取付位置の目印としているため、電線をパネル等に配索した後に所要の位置に前記ワイヤハーネス用固定具を取り付けることができる。
【００２３】
請求項２に記載された発明によれば、ワイヤハーネス用固定具は、互いに係合され且つ可撓部によって回動可能に形成された第一収容部と第二収容部とを備えているため、電線の外周面に沿って巻かれた目印部材を簡単な操作で容易に抱持することができる。このため、ワイヤハーネス用固定具を電線に取り付ける取付作業の作業時間を短縮することができる。
【００２４】
請求項３に記載された発明によれば、ワイヤハーネス用固定具は、互いに係合され且つ別体で構成された第一収容部と第二収容部とを備えているため、金型における前記ワイヤハーネス用固定具を成形するキャビティの構造が簡略化される。このため、金型の制作費が抑えられ、ワイヤハーネス用固定具の費用を抑えることができる。
【００２５】
また、第一収容部と第二収容部との一方が破損した場合に、この破損した一方を交換することでワイヤハーネス用固定具として使用できるため、部品交換にかかる費用を抑えることができる。
【００２６】
請求項４に記載された発明によれば、ワイヤハーネス用固定具は、電線の外周面に沿って巻かれた目印部材の係合部を露出する開口部が抱持部に設けられているため、前記開口部の周縁部に前記係合部が干渉し、前記ワイヤハーネス用固定具が前記電線に対して移動することを防止する。このため、前記ワイヤハーネス用固定具の取付位置と、取付方向とを前記目印部材によって規定することができる。
【００２７】
請求項５に記載された発明によれば、ワイヤハーネスは、請求項１〜請求項４のいずれか一項に記載のワイヤハーネス用固定具を備えているため、前記ワイヤハーネス用固定具の取付位置の位置精度が向上したワイヤハーネスとなる。
【００２８】
また、ワイヤハーネスは、ワイヤハーネス用固定具が引掛かるような狭い箇所に電線を配索した後に、前記ワイヤハーネス用固定具を電線に取り付けて当該電線をパネルに固定することができるワイヤハーネスとなる。
【００２９】
また、ワイヤハーネスは、ワイヤハーネス用固定具の取付位置と、取付方向とを前記目印部材によって規定することができるワイヤハーネスとなる。
【００３０】
請求項６に記載された発明によれば、ワイヤハーネスの製造方法は、電線を配索した後に当該電線の目印部材にワイヤハーネス用固定具を取り付けるため、配索時にワイヤハーネス用固定具が引掛かることがなくなり、配索作業を円滑に行うことができる。また、所要の位置に前記ワイヤハーネス用固定具を容易に取り付けることができる。
【図面の簡単な説明】
【００３１】
【図１】本発明の第一の実施形態にかかるワイヤハーネス用固定具を備えたワイヤハーネスの概略構成を示す斜視図である。
【図２】図１に示すワイヤハーネスのワイヤハーネス用固定具の横断面図である。
【図３】図２に示すワイヤハーネス用固定具の目印部材の斜視図である。
【図４】図１に示すワイヤハーネスのワイヤハーネス用固定具の抱持部が閉止された状態を示す斜視図である。
【図５】図４に示すワイヤハーネス用固定具の抱持部が開放された状態を示す斜視図である。
【図６】本発明の第二の実施形態にかかるワイヤハーネス用固定具を備えたワイヤハーネスの要部拡大斜視図である。
【図７】図６に示すワイヤハーネスのＩ−Ｉ矢視断面図である。
【図８】図６に示すワイヤハーネスのワイヤハーネス用固定具の抱持部が閉止された状態を示す図である。
【図９】図８に示すワイヤハーネス用固定具の正面図である。
【図１０】図８に示すワイヤハーネス用固定具の第一収容部を示す図である。
【図１１】図８に示すワイヤハーネス用固定具の第二収容部を示す図である。
【発明を実施するための形態】
【００３２】
以下、本発明の実施形態について、図１〜図１１を参照して説明する。
【００３３】
本発明の第一の実施形態にかかるワイヤハーネス用固定具２を有するワイヤハーネス１は、図１に示すように、複数本の電線９と、前記電線９の端末に設けられたコネクタ７２と、前記複数本の電線９を保護するプロテクタ７６とチューブ７７と、図示しないパネルの貫通孔に挿通された前記複数本の電線９を保護するグロメット７５と、前記複数本の電線９を束ねるワイヤハーネス用テープ７８と、前記電線９を前記パネルに固定するワイヤハーネス用固定具２と、を備えている。
【００３４】
電線９は、図２に示すように、導電性の芯線９ａと、絶縁性の被覆部９ｂとを備えている。芯線９ａは、複数本の導線が撚られて形成されている。導線は、銅や銅合金等の導電性の金属からなる。被覆部は、ポリ塩化ビニル樹脂、あるいは、ポリエチレン樹脂などからなり、前記芯線の外周面に設けられ当該芯線を被覆している。このため、電線９の外表面は、前記被覆部９ｂの外表面となっている。なお、芯線９ａは、一本の導線から構成されても良い。
【００３５】
ワイヤハーネス用固定具２は、図２に示すように、電線９に巻かれた目印部材としての結束バンド６１を抱持している。結束バンド６１は、図３に示すように、帯状部６１ａの一端に係合部６１ｂが設けられている。結束バンド６１は、ポリプロピレン樹脂などの合成樹脂によって形成されている。
【００３６】
帯状部６１ａには、図３に示すように、鋸歯状突起６１ｃが前記帯状部６１ａの長手方向に連続して設けられている。係合部６１ｂには、前記帯状部６１ａの一端部から挿通され前記鋸歯状突起６１ｃに係合する係合爪６１ｆが設けられた挿通孔６１ｄが開孔されている。結束バンド６１は、前記電線９を結束すると共に、前記挿通孔６１ｄに挿通され当該挿通孔６１ｄから突出した前記帯状部６１ａの余長が、前記係合部６１ｂの近傍で切断されている。
【００３７】
ワイヤハーネス用固定具２は、電線９の外周面に沿って巻かれた目印部材としての結束バンド６１を抱持する抱持部７を備えている。ワイヤハーネス用固定具２には、パネルに締結されるネジ部材等が取り付けられる孔部（図２に示す）２６，３９が設けられている。ワイヤハーネス用固定具２は、ポリプロピレン樹脂などの可撓性を有する合成樹脂で一体成形されている。
【００３８】
抱持部７は、図２、図４および図５に示すように、第一収容部８と、第二収容部６とを備えている。第一収容部８には、薄板状に形成された板状部２１と、前記板状部２１の一方の面の一端部に設けられ前記電線９の外形に沿って円弧状に形成された第一円弧状部２２と、前記板状部２１の一方の面から立設された係合突起２４と、が設けられている。
【００３９】
第二収容部６には、図２および図４に示すように、前記第一円弧状部２２の一端部に設けられた可撓部３８に連結され前記電線９の外形に沿って円弧状に形成された第二円弧状部３１と、前記第二円弧状部３１の一端部から延長されて形成された板状部３２と、前記係合突起２４が挿通され当該係合突起２４が係合される係合孔３４と、が設けられている。
【００４０】
板状部２１には、図２に示すように、前記板状部２１の他端側に開孔され当該板状部２１を貫通する孔部２６が設けられている。
【００４１】
第一円弧状部２２は、図２および図５に示すように、前記電線９の外形に沿って円弧状に形成され当該電線９の外表面を押圧する押圧突起２３，２３と、前記結束バンド６１の帯状部６１ａと係合部６１ｂとが露出される開口部４０と、前記開口部４０の両側に設けられ前記第二円弧状部３１に連設された可撓部３８，３８と、を備えている。
【００４２】
押圧突起２３，２３は、図５に示すように、前記結束バンド６１の帯状部６１ａと係合部６１ｂとに干渉しない間隔を空けて、前記電線９の軸方向に並設されている。押圧突起２３，２３は、前記第二円弧状部３１に設けられた押圧突起３６，３６に対向して配置されている。
【００４３】
可撓部３８は、図４に示すように、前記第一円弧状部２２と前記第二円弧状部３１とよりも薄肉に形成され、図７に示すように、前記第一円弧状部２２と前記第二円弧状部３１とが開放された状態を保持する強度に形成されている。このため、可撓部３８によって、前記第一収容部８と前記第二収容部６とが回動可能に連結されている。
【００４４】
係合突起２４は、図２に示すように、前記係合突起２４の先端部から基端部に向かって突出量が増加する傾斜面が形成されている。係合突起２４は、前記可撓部３８の略中間位置にまで延長して立設されている。
【００４５】
第二円弧状部３１は、図２および図５に示すように、前記開口部４０の両側に設けられた前記可撓部３８，３８と、前記電線９の外周面に沿って円弧状に形成され当該電線９の外表面を押圧する押圧突起３６，３６と、前記開口部４０に連通され前記第二円弧状部３１の外側に突設され外部に露出した前記結束バンド６１の帯状部６１ａと係合部６１ｂとを保護する庇部３３と、を備えている。
【００４６】
押圧突起３６，３６は、図５に示すように、前記結束バンド６１の帯状部６１ａと係合部６１ｂとに干渉しない間隔を空けて、前記電線９の軸方向に並設されている。押圧突起３６，３６は、前記第一円弧状部２２に設けられた押圧突起２３，２３に対向して配置されている。
【００４７】
開口部４０は、図２および図５に示すように、前記結束バンド６１の帯状部６１ａと係合部６１ｂと前記開口部４０とが干渉して、前記ワイヤハーネス用固定具２が前記電線９の軸方向に移動したり、前記電線９の外周面の周方向に回転したりしない寸法に形成されている。なお、開口部４０によって電線９の軸方向の位置と、前記電線９の外周面方向の位置とが規定されるため、前記電線９を押圧する前記押圧突起２３，２３，３６，３６を設けずに、図示した前記電線９よりも大径の電線を抱持部７で抱持するようにしても良い。
【００４８】
庇部３３は、図２および図５に示すように、前記開口部４０の前記電線９の軸方向の幅と同一幅に形成されている。庇部３３は、前記結束バンド６１の係合部６１ｂが収容される寸法の突出量で突設されている。
【００４９】
係合孔３４は、図２および図５に示すように、前記係合突起２４の前記傾斜面の突出量が最大となる部分に係合する爪部３７が設けられている。係合孔３４は、前記係合突起２４が挿通される寸法に形成されている。
【００５０】
板状部３２は、図２および図５に示すように、前記板状部３２を貫通する孔部３９が設けられている。孔部３９は、前記板状部３２と前記板状部２１とが閉止した状態で、当該板状部２１に開孔された孔部２６に連通する位置に設けられている。
【００５１】
抱持部７は、前記電線９の外周面に沿って円弧状に形成され当該電線９の軸方向に延長された第一円弧状部２２と、前記電線９の外周面に沿って円弧状に形成され当該電線９の軸方向に延長された第二円弧状部３１と、前記第一円弧状部２２と前記第二円弧状部３１とに連通され前記結束バンド６１の帯状部６１ａと係合部６１ｂとを外部に露出させる開口部４０と、前記開口部４０に連通され前記第二円弧状部３１に設けられ前記帯状部６１ａと係合部６１ｂとを保護する庇部３３と、前記第一円弧状部２２の内周面に設けられ前記電線９の外周面に沿って円弧状に形成され当該電線９の外表面を押圧する押圧突起２３，２３と、前記第二円弧状部３１の内周面に設けられ前記電線９の外周面に沿って円弧状に形成され当該電線９の外表面を押圧する押圧突起３６，３６と、を備えている。前記第一円弧状部２２と前記第二円弧状部３１とは、前記板状部２１と前記板状部３２とが閉止された状態で、前記電線９の外周面に沿った円筒状に形成されている。
【００５２】
上述の如く構成されたワイヤハーネス用固定具２は、図５に示すように、第一収容部８と第二収容部６とが開放された形態で、射出成形等によって形成される。次いで、前記ワイヤハーネス用固定具２が前記ワイヤハーネス１に取り付けられる取付位置に、前記結束バンド６１が結束され、当該結束バンド６１の帯状部６１ａの余長が切断され取り除かれる。
【００５３】
次いで、前記ワイヤハーネス１が車体等のパネルに所要の配索形態で配索される。次いで、ワイヤハーネス用固定具２は、図４に示すように、第一収容部８と第二収容部６とが閉止され、前記ワイヤハーネス１の電線９と前記結束バンド６１とが抱持部７に抱持され、前記ワイヤハーネス用固定具２が前記ワイヤハーネス１に固定される。なお、前記ワイヤハーネス用固定具２に抱持される電線９は、複数本の電線９が束ねられた電線束でも良い。
【００５４】
次いで、前記ワイヤハーネス１に固定された前記ワイヤハーネス用固定具２の孔部２６，３９とパネルの取付孔とを連通させ、前記孔部２６，３９と前記取付孔とにネジ部材等が挿通されて螺合される。そして、前記ワイヤハーネス１が前記パネルに固定される。
【００５５】
上述の第一の実施形態にかかるワイヤハーネス用固定具２は、当該ワイヤハーネス用固定具２を電線９に取り付ける目印とされ且つ当該電線９の外周面に沿って巻かれた目印部材としての結束バンド６１を抱持する抱持部７が設けられている。
【００５６】
前記抱持部７は、前記電線９を収容する第一収容部８と、前記電線９を収容すると共に前記第一収容部８に対向する第二収容部６と、を備え、かつ、前記第一収容部８と前記第二収容部６とに連設され且つ当該第一収容部８と当該第二収容部６とを回動可能に連結した可撓部３８が設けられている。
【００５７】
前記結束バンド６１が、前記電線９の外周面に沿って巻かれ且つ帯状に形成された帯状部６１ａと、前記帯状部６１ａの一端に設けられ且つ当該帯状部６１ａを挿通して係合する係合部６１ｂと、を備え、前記ワイヤハーネス用固定具２の前記抱持部７には、前記結束バンド６１の前記係合部６１ｂを露出する開口部４０が設けられている。
【００５８】
このため、ワイヤハーネス用固定具２は、電線９の外周面に沿って巻かれた結束バンド６１を抱持部７で抱持するため、前記ワイヤハーネス用固定具２の取付位置の位置精度が向上する。
【００５９】
また、ワイヤハーネス用固定具２は、電線９の外周面に沿って巻かれた結束バンド６１を抱持部７で抱持するため、結束工具などの工具を使用せずに電線９に取り付けることができる。このため、ワイヤハーネス用固定具２が引掛かるような狭い箇所に電線９を配索した後に、前記ワイヤハーネス用固定具２を電線９に取り付けて当該電線９をパネルに固定することができる。
【００６０】
また、ワイヤハーネス用固定具２は、電線９の外周面に沿って巻かれた結束バンド６１を抱持するため、線径の異なる電線９に取り付けることができる。
【００６１】
また、ワイヤハーネス用固定具２は、電線９の外周面に沿って巻かれた結束バンド６１を前記ワイヤハーネス用固定具２の取付位置の目印としているため、電線９をパネル等に配索した後に所要の位置に前記ワイヤハーネス用固定具２を取り付けることができる。
【００６２】
また、ワイヤハーネス用固定具２は、互いに係合され且つ可撓部３８によって回動可能に形成された第一収容部８と第二収容部６とを備えているため、電線９の外周面に沿って巻かれた結束バンド６１を簡単な操作で容易に抱持することができる。このため、ワイヤハーネス用固定具２を電線９に取り付ける取付作業の作業時間を短縮することができる。
【００６３】
また、ワイヤハーネス用固定具２は、電線９の外周面に沿って巻かれた結束バンド６１の係合部６１ｂを露出する開口部４０が抱持部７に設けられているため、前記開口部４０の周縁部に前記係合部６１ｂが干渉し、前記ワイヤハーネス用固定具２が前記電線９に対して移動することを防止する。このため、前記ワイヤハーネス用固定具２の取付位置と、取付方向とを前記結束バンド６１によって規定することができる。
【００６４】
ワイヤハーネス１は、前述したワイヤハーネス用固定具２を備えているため、前記ワイヤハーネス用固定具２の取付位置の位置精度が向上したワイヤハーネス１となる。
【００６５】
また、ワイヤハーネス１は、ワイヤハーネス用固定具２が引掛かるような狭い箇所に電線９を配索した後に、前記ワイヤハーネス用固定具２を電線９に取り付けて当該電線９をパネルに固定することができるワイヤハーネス１となる。
【００６６】
また、ワイヤハーネス１は、ワイヤハーネス用固定具２の取付位置と、取付方向とを前記結束バンド６１によって規定することができるワイヤハーネス１となる。
【００６７】
ワイヤハーネスの製造方法は、電線９を配索した後に当該電線９の結束バンド６１にワイヤハーネス用固定具２を取り付けるため、配索時にワイヤハーネス用固定具２が引掛かることがなくなり、配索作業を円滑に行うことができる。また、電線９の所要の位置に前記ワイヤハーネス用固定具２を容易に取り付けることができる。
【００６８】
また、目印部材として結束バンド６１が使用されるため、電線９が確実に結束され、位置決めが確実となる。
【００６９】
また、目印部材は、汎用品である結束バンド６１を使用することができるため、各種線径の電線９に使用することができ、汎用性が向上すると共にワイヤハーネス１を安価に提供することができる。
【００７０】
（第二の実施形態）
次に、本発明にかかるワイヤハーネス用固定具２Ａを備えたワイヤハーネス１Ａの第二の実施形態について、図６〜図１１を参照して説明する。なお、前述した実施形態と同一部分には、同一の符号を付して説明を省略する。
【００７１】
本実施形態にかかるワイヤハーネス１Ａは、図６および図７に示すように、電線９と、前記電線９に巻かれた目印部材としての粘着テープ５２と、前記粘着テープ５２を抱持したワイヤハーネス用固定具２Ａと、を備えている。
【００７２】
粘着テープ５２は、汎用品としての電気絶縁用粘着テープ、粘着シート等が使用される。粘着テープ５２は、合成樹脂からなるフィルム層と、前記フィルム層上に設けられ前記電線９に粘着可能な粘着剤層と、を備えている。フィルム層は、ポリ塩化ビニル樹脂を主成分とし、可塑剤や難燃剤等が配合され形成されている。粘着剤は、ゴムを主成分とし、粘着付与剤や架橋剤等が配合され形成されている。粘着テープ５２は、前記電線９の外周面に捲回され当該電線９を結束している。粘着テープ５２が前記電線９に捲回された部分の直径は、前記電線９の外周面に捲回され後述するワイヤハーネス用固定具２Ａの抱持部７Ａに抱持される直径に形成されている。
【００７３】
ワイヤハーネス用固定具２Ａは、図６に示すように、電線９の外周面に沿って巻かれた目印部材としての粘着テープ６２を抱持する抱持部７Ａを備えている。抱持部７Ａは、第一収容部８Ａと第二収容部６Ａとを備え、前記第二収容部６Ａと前記第一収容部８Ａとが係合手段によって互いに係合している。
【００７４】
第一収容部８Ａは、図７〜図１０に示すように、薄板状に形成された板状部２１Ａと、前記板状部２１Ａの一方の面に設けられた第一凹溝２５が設けられている。板状部２１Ａには、図１４、図２１および図２２に示すように、前記板状部２１Ａの両端部にそれぞれ開孔された孔部２６，２６が設けられている。孔部２６，２６は、図示しないネジ部材の軸が挿通される寸法かつ当該ネジ部材の頭部が係止される寸法に開孔されている。
【００７５】
第一凹溝２５は、図８および図１０に示すように、前記板状部２１Ａの一方の面から立設され前記電線９の軸方向に延長され互いに平行に設けられた壁部２７，２７と、前記壁部２７，２７のそれぞれの外側に設けられた係合手段としての係合爪２８，２８と、前記壁部２７，２７の内側に設けられ前記電線９の外表面を押圧する押圧突起２３Ａ，２３Ａ，２３Ａと、前記板状部２１Ａの他方の面に立設された係止部１２と、を備えている。
【００７６】
係合爪２８，２８は、図８に示すように、前記電線９の軸方向に間隔を空けて設けられている。係合爪２８，２８は、前記壁部２７，２７の上端部から下方に向かって突出量が増加する傾斜面が形成されている。
【００７７】
押圧突起２３Ａ，２３Ａ，２３Ａは、図９および図１０に示すように、前記壁部２７，２７側から中央側に向かって凹状に形成され前記電線９の外形に沿って円弧状に形成されている。押圧突起２３Ａ，２３Ａ，２３Ａは、前記電線９の軸方向に等間隔に設けられている。
【００７８】
第二収容部６Ａは、図９および図１１に示すように、裏面に第二凹溝３５が設けられている。第二凹溝３５は、前記第一凹溝２５の壁部２７，２７の上端部に重ねられる板部４２と、前記板部２７の両端部からそれぞれ下方に延長され前記壁部２７，２７の外側に隣接する壁部４３，４３と、前記壁部４３，４３のそれぞれに開孔され前記係合爪２８，２８が係合される係合手段としての係合孔４４，４４と、前記板部４２の内側かつ前記壁部４３，４３の内側に設けられ前記電線９の外表面を押圧する押圧突起３６Ａ，３６Ａと、を備えている。
【００７９】
係合孔４４，４４は、図８および図１１に示すように、前記係合爪２８，２８が挿通する寸法の開口が設けられている。係合孔４４，４４は、前記電線９の軸方向に間隔を空けて設けられている。
【００８０】
押圧突起３６Ａ，３６Ａは、図９および図１１に示すように、前記電線９の外形に沿って円弧状に形成されている。押圧突起３６Ａ，３６Ａは、前記電線９の軸方向に間隔を空けて設けられていると共に、前記電線９に対して前記押圧突起２３Ａ，２３Ａ，２３Ａと前記押圧突起３６Ａ，３６Ａとが交互に当該電線９を押圧する間隔に設けられている。
【００８１】
抱持部７Ａは、前記第一収容部８Ａと前記第二収容部６Ａとから構成され、前記第一収容部８Ａ側に設けられた押圧突起２３Ａ，２３Ａ，２３Ａと、前記第二収容部６Ａ側に設けられた押圧突起３６Ａ，３６Ａと、を備えている。
【００８２】
上述の如く構成されたワイヤハーネス用固定具２Ａは、図１０および図１１に示すように、第一収容部８Ａと第二収容部６Ａとが別体として、射出成形等によって形成される。次いで、前記ワイヤハーネス用固定具２Ａが前記ワイヤハーネス１Ａに取り付けられる取付位置に、前記粘着テープ６２が捲回され前記電線９が結束される。
【００８３】
次いで、前記ワイヤハーネス１Ａが車体等のパネルに所要の配索形態で配索される。次いで、ワイヤハーネス用固定具２Ａは、図６に示すように、第一収容部８と第二収容部６とが閉止される。このとき、前記ワイヤハーネス１Ａの電線９に捲回された粘着テープ６２が第一凹溝２５と第二凹溝３５とからなる抱持部７に抱持され、前記抱持部７Ａの押圧突起２３Ａ，２３Ａ，２３Ａと押圧突起３６Ａ，３６Ａとによって前記粘着テープ６２が押圧され、前記ワイヤハーネス１Ａに前記ワイヤハーネス用固定具２Ａが固定される。なお、前記電線９は、複数本の電線９が束ねられた電線束でも良い。
【００８４】
そして、前記ワイヤハーネス用固定具２Ａが固定された前記ワイヤハーネス１Ａが、孔部２６，２６に挿入したネジ部材によってパネルに固定される。
【００８５】
上述の第二の実施形態にかかるワイヤハーネス用固定具２Ａは、電線９に巻かれた粘着テープ６２を抱持する抱持部７Ａが設けられているため、結束工具などの取付工具を使用せずに前記電線９に前記固定具２Ａを容易に取り付けられる。このため、前記ワイヤハーネス１Ａがパネル等の狭い箇所に配索された後に、前記電線９に前記ワイヤハーネス用固定具２Ａを取り付けることができる。従って、前記ワイヤハーネス１Ａをパネル等に配索する際に前記ワイヤハーネス用固定具２Ａが当該パネル等に引っかかることが防止される。
【００８６】
また、ワイヤハーネス用固定具２Ａは、線径の異なる電線９に巻かれた前記粘着テープ６２を当該ワイヤハーネス用固定具２Ａの抱持部７Ａで抱持するため、線径の異なる電線９に取り付けることができる。
【００８７】
また、ワイヤハーネス用固定具２Ａは、前記第一収容部８と前記第二収容部６とには、互いに係合する係合手段としての係合爪２８と係合孔４４とが設けられ、かつ、前記第一収容部８と前記第二収容部６とが、別体で構成されているため、金型における前記ワイヤハーネス用固定具２を成形するキャビティの構造が簡略化される。このため、金型の制作費が抑えられ、ワイヤハーネス用固定具２の費用とワイヤハーネス１の費用とを抑えることができる。
【００８８】
また、第一収容部８と第二収容部６との一方が破損した場合に、この破損した一方を交換することでワイヤハーネス用固定具２として使用できるため、部品交換にかかる費用を抑えることができる。
【００８９】
また、ワイヤハーネス用固定具２Ａは、電線９に巻かれた粘着テープ６２を抱持するため、前記ワイヤハーネス用固定具２Ａの取付位置の目印として前記粘着テープ６２を使用できる。このため、ワイヤハーネス用固定具２Ａの取付位置の調整作業が容易となる上に、取付精度が向上する。
【００９０】
また、ワイヤハーネス用固定具２Ａは、目印部材として粘着テープ６２が使用されるため、位置決めが確実な上に、捲回数に応じて直径を適宜設定できる。このため、電線９の線径の大小に対応してワイヤハーネス用固定具２Ａを当該電線９に取り付けることができる。また、ワイヤハーネス用固定具２Ａが前記電線９の軸方向に移動したり、前記電線９の外周面の周方向に回転したりしない程度に前記粘着テープ６２を巻き付ける捲回数が調整できるため、汎用性が向上する。
【００９１】
また、目印部材は、汎用品である粘着テープ６２を使用することができるため、ワイヤハーネス１Ａを安価に提供することができる。
【００９２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００９３】
１，１Ａ  ワイヤハーネス
２，２Ａ  ワイヤハーネス用固定具
６，６Ａ  第二収容部
７，７Ａ  抱持部
８，８Ａ  第一収容部
９  電線
２８  係合爪（係合手段）
４４  係合孔（係合手段）
３８  可撓部
４０  開口部
６１  結束バンド（目印部材）
６１ａ  帯状部
６１ｂ  係合部
６２  粘着テープ（目印部材）
【図１】
2012222901.tif 000003
【図２】
2012222901.tif 000004
【図３】
2012222901.tif 000005
【図４】
2012222901.tif 000006
【図５】
2012222901.tif 000007
【図６】
2012222901.tif 000008
【図７】
2012222901.tif 000009
【図８】
2012222901.tif 000010
【図９】
2012222901.tif 000011
【図１０】
2012222901.tif 000012
【図１１】
2012222901.tif 000013